(57)【要約】      （修正有）【課題】テーブル、椅子および雨よけに形態変更可能な、花園に置く家具装飾品の提供。【解決手段】台座１０と前記台座と固定的に連結された支持柱２０とを含み、前記支持柱の頂壁にはテーブル面４９が固定的に取り付けられ、前記支持柱と前記台座との固定的に連結されたところには前後左右対称の第一スライドチャンバ１１が設置され、四つの前記第一スライドチャンバの間には伝動チャンバが設置され、前記第一スライドチャンバの片側端壁には第一ラック２５が設置され、前記第一スライドチャンバの中には第一スライドブロック１２がスライドできるように設置され、本発明の家具装飾品は収納状態にある時に球状であり、装飾品として花園の中に置かれることができ、休憩の時、本発明は自動的にテーブルと椅子とのセットに変わることができ、使用者が休憩することに便利を与え、同時に雨よけ５１が設置され、使用者に雨又は日を避けることができ、実用性が強い。【選択図】図１
2020182785.tif 000002
【特許請求の範囲】
【請求項１】
正面視で、台座と前記台座と固定的に連結された支持柱とを含み、前記支持柱の頂壁にはテーブル面が固定的に取り付けられ、前記支持柱と前記台座との固定的に連結されたところには前後左右対称の第一スライドチャンバが設置され、四つの前記第一スライドチャンバの間には伝動チャンバが設置され、前記第一スライドチャンバの片側端壁には第一ラックが設置され、前記第一スライドチャンバの中には第一スライドブロックがスライドできるように設置され、前記第一スライドブロックの中には前記第一スライドブロックを貫通している第一ねじ穴が設置され、前記第一ねじ穴の中には第一ねじロッドがねじ山によって連結され、前記第一ねじロッドの末端が前記伝動チャンバの中に伸びており、また前記第一ねじロッドの末端には第一ベベルギヤが固定的に設置され、前記第一スライドブロックの中には第二スライドチャンバと前記第二スライドチャンバの底壁の中に設置されたギヤチャンバとが設置され、前記第二スライドチャンバの中には第二スライドブロックがスライドできるように設置され、前記第二スライドブロックのうち前記第二スライドチャンバから離れている片側端壁には座席が固定的に設置され、前記第二スライドブロックの中には上下に貫通している第二ねじ穴が設置され、前記第二ねじ穴の中には第二ねじロッドがねじ山によって連結され、前記第二ねじロッドの底部末端が前記ギヤチャンバの中に伸びており、前記ギヤチャンバの中の前記第二ねじロッドの末端には前記第一ラックと噛み合っている第一ギヤが固定的に設置され、前記第一スライドチャンバのうち前記伝動チャンバから離れている片側端壁の中には前記座席を支持できる支持装置が設置され、前記テーブル面の底壁の中には上方に開口した第三スライドチャンバが設置され、前記第三スライドチャンバの中には上方へ伸びている推しロッドがスライドできるように設置され、前記推しロッドの頂壁には雨よけが固定的に設置され、前記第三スライドチャンバの中には前記雨よけを持ち上げる持ち上げ装置が設置され、前記推しロッドの中には第四スライドチャンバが設置され、前記第四スライドチャンバの中には前記雨よけを広げることができる広げ装置が設置されたことを特徴とする家具装飾品。
【請求項２】
前記支持装置は前記台座の頂壁にある左右且つ前後対称の回転チャンバを含み、前記回転チャンバの底壁の中には支持チャンバが設置され、前記支持チャンバの中には第二ギヤが回転できるように設置され、前記第二ギヤの頂壁には回転ロッドが固定的に取り付けられ、前記支持チャンバと前記第一スライドチャンバとの間には第一スライド穴が連通するように設置され、前記第一スライド穴の中には前記第二ギヤと噛み合っている第二ラックがスライドできるように設置され、前記第二ラックをスライドさせて前記回転ロッドを回転連動させ、それによって前記座席を支持する作用を果たし、前記第二ラックと前記第一スライド穴の端壁との間には復帰装置が弾性を持つように設置されたことを特徴とする請求項１に記載の家具装飾品。
【請求項３】
前記持ち上げ装置は前記第四スライドチャンバの底壁の中に設置された第三ねじ穴を含み、前記第三ねじ穴の中には第三ねじロッドがねじ山によって連結され、前記第三ねじロッドが回転して前記推しロッドを上方へ移動連動させ、それによって前記雨よけを持ち上げ、前記第三ねじロッドの底部末端が前記伝動チャンバの中に伸びており、また前記第三ねじロッドの底部末端が前記伝動チャンバの底壁の中に固定的に設置されたモーターと動力が伝達できるように連結され、前記伝動チャンバの中の前記第三ねじロッドの外表面には前記第一ベベルギヤと噛み合っている第二ベベルギヤが固定的に設置され、前記第四スライドチャンバの四つの側の端壁の中には前記第三スライドチャンバに連通している空きチャンバが設置され、前記空きチャンバの中には前記第三スライドチャンバの四つの側の端壁に固定的に設置された第三ラックと噛み合っている第三ギヤが回転できるように設置されたことを特徴とする請求項１に記載の家具装飾品。
【請求項４】
前記広げ装置は前記第四スライドチャンバの左右前後端壁の中に対称的に設置された第五スライドチャンバを含み、前記第五スライドチャンバの中には十字ブロックがスライドできるように設置され、前記第四スライドチャンバの中には前記十字ブロックと固定的に連結された広げロッドがスライドできるように設置され、前記広げロッドの左右前後端壁の中には前記第三ギヤと噛み合っている第四ラックが固定的に設置され、前記広げロッドの底壁の中には下方に開口したスライド溝が設置され、前記雨よけと前記推しロッドとの間には中心対称の四組のヒンジロッドがヒンジで連結され、前記十字ブロックの四つの端にはコンロッドがヒンジで連結され、前記コンロッドのうち前記十字ブロックから離れている片側末端が前記ヒンジロッドの中間位置にヒンジで連結されたことを特徴とする請求項１に記載の家具装飾品。
【発明の詳細な説明】
【技術分野】
【０００１】
本発明は装飾分野に関わり、具体的には家具装飾品である。
【背景技術】
【０００２】
人々は家庭花園を設計する時、装飾品を置くことによって庭園を装飾することは常にあり、しかし、伝統的な庭園装飾品は機能が単一で、合理的に利用されることができないため、類似の装飾品を普及できなく、したがって上記の問題を解決するため、家具装飾品は必要となる。
【先行技術文献】
【特許文献】
【０００３】
【特許文献１】中国特許出願公開第１０８８５９５５６号明細書
【発明の概要】
【発明が解決しようとする課題】
【０００４】
本発明は家具装飾品を提供し、既存技術にある上記の欠点を解消し、設備の実用性を高めることを目的とする。
【課題を解決するための手段】
【０００５】
本発明の家具装飾品は、台座と前記台座と固定的に連結された支持柱とを含み、前記支持柱の頂壁にはテーブル面が固定的に取り付けられ、前記支持柱と前記台座との固定的に連結されたところには前後左右対称の第一スライドチャンバが設置され、四つの前記第一スライドチャンバの間には伝動チャンバが設置され、前記第一スライドチャンバの片側端壁には第一ラックが設置され、前記第一スライドチャンバの中には第一スライドブロックがスライドできるように設置され、前記第一スライドブロックの中には前記第一スライドブロックを貫通している第一ねじ穴が設置され、前記第一ねじ穴の中には第一ねじロッドがねじ山によって連結され、前記第一ねじロッドの末端が前記伝動チャンバの中に伸びており、また前記第一ねじロッドの末端には第一ベベルギヤが固定的に設置され、前記第一スライドブロックの中には第二スライドチャンバと前記第二スライドチャンバの底壁の中に設置されたギヤチャンバとが設置され、前記第二スライドチャンバの中には第二スライドブロックがスライドできるように設置され、前記第二スライドブロックのうち前記第二スライドチャンバから離れている片側端壁には座席が固定的に設置され、前記第二スライドブロックの中には上下に貫通している第二ねじ穴が設置され、前記第二ねじ穴の中には第二ねじロッドがねじ山によって連結され、前記第二ねじロッドの底部末端が前記ギヤチャンバの中に伸びており、前記ギヤチャンバの中の前記第二ねじロッドの末端には前記第一ラックと噛み合っている第一ギヤが固定的に設置され、前記第一スライドチャンバのうち前記伝動チャンバから離れている片側端壁の中には前記座席を支持できる支持装置が設置され、前記テーブル面の底壁の中には上方に開口した第三スライドチャンバが設置され、前記第三スライドチャンバの中には上方へ伸びている推しロッドがスライドできるように設置され、前記推しロッドの頂壁には雨よけが固定的に設置され、前記第三スライドチャンバの中には前記雨よけを持ち上げる持ち上げ装置が設置され、前記推しロッドの中には第四スライドチャンバが設置され、前記第四スライドチャンバの中には前記雨よけを広げることができる広げ装置が設置された。
【０００６】
好ましくは、前記支持装置は前記台座の頂壁にある左右且つ前後対称の回転チャンバを含み、前記回転チャンバの底壁の中には支持チャンバが設置され、前記支持チャンバの中には第二ギヤが回転できるように設置され、前記第二ギヤの頂壁には回転ロッドが固定的に取り付けられ、前記支持チャンバと前記第一スライドチャンバとの間には第一スライド穴が連通するように設置され、前記第一スライド穴の中には前記第二ギヤと噛み合っている第二ラックがスライドできるように設置され、前記第二ラックをスライドさせて前記回転ロッドを回転連動させ、それによって前記座席を支持する作用を果たし、前記第二ラックと前記第一スライド穴の端壁との間には復帰装置が弾性を持つように設置された。
【０００７】
好ましくは、前記持ち上げ装置は前記第四スライドチャンバの底壁の中に設置された第三ねじ穴を含み、前記第三ねじ穴の中には第三ねじロッドがねじ山によって連結され、前記第三ねじロッドが回転して前記推しロッドを上方へ移動連動させ、それによって前記雨よけを持ち上げ、前記第三ねじロッドの底部末端が前記伝動チャンバの中に伸びており、また前記第三ねじロッドの底部末端が前記伝動チャンバの底壁の中に固定的に設置されたモーターと動力が伝達できるように連結され、前記伝動チャンバの中の前記第三ねじロッドの外表面には前記第一ベベルギヤと噛み合っている第二ベベルギヤが固定的に設置され、前記第四スライドチャンバの四つの側の端壁の中には前記第三スライドチャンバに連通している空きチャンバが設置され、前記空きチャンバの中には前記第三スライドチャンバの四つの側の端壁に固定的に設置された第三ラックと噛み合っている第三ギヤが回転できるように設置された。
【０００８】
好ましくは、前記広げ装置は前記第四スライドチャンバの左右前後端壁の中に対称的に設置された第五スライドチャンバを含み、前記第五スライドチャンバの中には十字ブロックがスライドできるように設置され、前記第四スライドチャンバの中には前記十字ブロックと固定的に連結された広げロッドがスライドできるように設置され、前記広げロッドの左右前後端壁の中には前記第三ギヤと噛み合っている第四ラックが固定的に設置され、前記広げロッドの底壁の中には下方に開口したスライド溝が設置され、前記雨よけと前記推しロッドとの間には中心対称の四組のヒンジロッドがヒンジで連結され、前記十字ブロックの四つの端にはコンロッドがヒンジで連結され、前記コンロッドのうち前記十字ブロックから離れている片側末端が前記ヒンジロッドの中間位置にヒンジで連結され、前記十字ブロックが上方へ移動して前記コンロッドを連動させて前記ヒンジロッドを支え、それによって前記雨よけを広げることを実現する。
【発明の効果】
【０００９】
本発明の有益な効果は：本発明の家具装飾品は収納状態にある時に球状であり、装飾品として花園の中に置かれることができ、休憩の時、本発明は自動的にテーブルと椅子とのセットに変わることができ、使用者が休憩することに便利を与え、同時に雨よけが設置され、使用者に雨又は日を避けることができ、実用性が強い。
【図面の簡単な説明】
【００１０】
本発明の実施例又は既存技術の技術プランを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の家具装飾品の全体構造略図
【図２】図２は図１の中のＡの拡大構造略図
【図３】図３は図１の中のＢの拡大構造略図
【図４】図４は図１の中のＣの拡大構造略図
【図５】図５は図１の中のＤ―Ｄの構造略図
【発明を実施するための形態】
【００１２】
本説明書に開示したすべての特徴、または開示したすべての方法または過程中のステップは、互いに排斥する特徴と／またはステップ以外に、いずれもあらゆる方式で組み合わせることができる。
【００１３】
図１〜５に示すように、本発明の家具装飾品は、台座１０と前記台座１０と固定的に連結された支持柱２０とを含み、前記支持柱２０の頂壁にはテーブル面４９が固定的に取り付けられ、前記支持柱２０と前記台座１０との固定的に連結されたところには前後左右対称の第一スライドチャンバ１１が設置され、四つの前記第一スライドチャンバ１１の間には伝動チャンバ４０が設置され、前記第一スライドチャンバ１１の片側端壁には第一ラック２５が設置され、前記第一スライドチャンバ１１の中には第一スライドブロック１２がスライドできるように設置され、前記第一スライドブロック１２の中には前記第一スライドブロック１２を貫通している第一ねじ穴３７が設置され、前記第一ねじ穴３７の中には第一ねじロッド３６がねじ山によって連結され、前記第一ねじロッド３６の末端が前記伝動チャンバ４０の中に伸びており、また前記第一ねじロッド３６の末端には第一ベベルギヤ４１が固定的に設置され、前記第一スライドブロック１２の中には第二スライドチャンバ２４と前記第二スライドチャンバ２４の底壁の中に設置されたギヤチャンバ１３とが設置され、前記第二スライドチャンバ２４の中には第二スライドブロック５０がスライドできるように設置され、前記第二スライドブロック５０のうち前記第二スライドチャンバ２４から離れている片側端壁には座席２１が固定的に設置され、前記第二スライドブロック５０の中には上下に貫通している第二ねじ穴２３が設置され、前記第二ねじ穴２３の中には第二ねじロッド２２がねじ山によって連結され、前記第二ねじロッド２２の底部末端が前記ギヤチャンバ１３の中に伸びており、前記ギヤチャンバ１３の中の前記第二ねじロッド２２の末端には前記第一ラック２５と噛み合っている第一ギヤ１４が固定的に設置され、前記第一スライドチャンバ１１のうち前記伝動チャンバ４０から離れている片側端壁の中には前記座席２１を支持できる支持装置２００が設置され、前記テーブル面４９の底壁の中には上方に開口した第三スライドチャンバ３０が設置され、前記第三スライドチャンバ３０の中には上方へ伸びている推しロッド１７がスライドできるように設置され、前記推しロッド１７の頂壁には雨よけ５１が固定的に設置され、前記第三スライドチャンバ３０の中には前記雨よけ５１を持ち上げる持ち上げ装置３００が設置され、前記推しロッド１７の中には第四スライドチャンバ２７が設置され、前記第四スライドチャンバ２７の中には前記雨よけ５１を広げることができる広げ装置４００が設置された。
【００１４】
有益なように、前記支持装置２００は前記台座１０の頂壁にある左右且つ前後対称の回転チャンバ４５を含み、前記回転チャンバ４５の底壁の中には支持チャンバ５２が設置され、前記支持チャンバ５２の中には第二ギヤ４３が回転できるように設置され、前記第二ギヤ４３の頂壁には回転ロッド４４が固定的に取り付けられ、前記支持チャンバ５２と前記第一スライドチャンバ１１との間には第一スライド穴４６が連通するように設置され、前記第一スライド穴４６の中には前記第二ギヤ４３と噛み合っている第二ラック４８がスライドできるように設置され、前記第二ラック４８をスライドさせて前記回転ロッド４４を回転連動させ、それによって前記座席２１を支持する作用を果たし、前記第二ラック４８と前記第一スライド穴４６の端壁との間には復帰装置４７が弾性を持つように設置された。
【００１５】
有益なように、前記持ち上げ装置３００は前記第四スライドチャンバ２７の底壁の中に設置された第三ねじ穴２９を含み、前記第三ねじ穴２９の中には第三ねじロッド２８がねじ山によって連結され、前記第三ねじロッド２８が回転して前記推しロッド１７を上方へ移動連動させ、それによって前記雨よけ５１を持ち上げ、前記第三ねじロッド２８の底部末端が前記伝動チャンバ４０の中に伸びており、また前記第三ねじロッド２８の底部末端が前記伝動チャンバ４０の底壁の中に固定的に設置されたモーター３９と動力が伝達できるように連結され、前記伝動チャンバ４０の中の前記第三ねじロッド２８の外表面には前記第一ベベルギヤ４１と噛み合っている第二ベベルギヤ４２が固定的に設置され、前記第四スライドチャンバ２７の四つの側の端壁の中には前記第三スライドチャンバ３０に連通している空きチャンバ３２が設置され、前記空きチャンバ３２の中には前記第三スライドチャンバ３０の四つの側の端壁に固定的に設置された第三ラック３３と噛み合っている第三ギヤ３１が回転できるように設置された。
【００１６】
有益なように、前記広げ装置４００は前記第四スライドチャンバ２７の左右前後端壁の中に対称的に設置された第五スライドチャンバ１８を含み、前記第五スライドチャンバ１８の中には十字ブロック１９がスライドできるように設置され、前記第四スライドチャンバ２７の中には前記十字ブロック１９と固定的に連結された広げロッド３５がスライドできるように設置され、前記広げロッド３５の左右前後端壁の中には前記第三ギヤ３１と噛み合っている第四ラック２６が固定的に設置され、前記広げロッド３５の底壁の中には下方に開口したスライド溝３４が設置され、前記雨よけ５１と前記推しロッド１７との間には中心対称の四組のヒンジロッド１６がヒンジで連結され、前記十字ブロック１９の四つの端にはコンロッド１５がヒンジで連結され、前記コンロッド１５のうち前記十字ブロック１９から離れている片側末端が前記ヒンジロッド１６の中間位置にヒンジで連結され、前記十字ブロック１９が上方へ移動して前記コンロッド１５を連動させて前記ヒンジロッド１６を支え、それによって前記雨よけ５１を広げることを実現する。
【００１７】
以下、出願人は付図１〜５及び上記本出願の家具装飾品の具体的な構成を参考して本願の家具装飾品の使用方法を詳しく紹介する：
【００１８】
装置は初期状態にある時、付図に示すように球状装飾品であり、花園の中に装飾品として置かれることに便利を与え、休憩の時、前記モーター３９を起動させて回転させ、それによって前記第三ねじロッド２８を回転連動させ、それによって前記第二ベベルギヤ４２と、前記第一ベベルギヤ４１と前記第一ねじロッド３６とを回転連動させ、それによって前記第一スライドブロック３８を移動連動させて前記伝動チャンバ４０から離れさせ、この時に前記第一ギヤ１４が前記第一ラック２５と噛み合っているため、前記第一ギヤ１４が移動して自身を回転連動させ、それによって前記第二ねじロッド２２を回転連動させ、それによって前記第二スライドブロック５０を下方へ移動連動させ、それによって前記座席２１を下方へ移動連動させ、前記第一スライドブロック３８が前記第二ラック４８と当接するまで移動した時、前記第二ラック４８が移動して前記第二ギヤ４３を回転連動させ、それによって前記回転ロッド４４を回転連動させ、前記回転ロッド４４が前記座席２１と当接するまで回転した時、前記回転ロッド４４が前記座席２１を支持し、それと同時に前記第一ねじロッド３６が回転して前記推しロッド１７を上方へ移動連動させ、それによって前記雨よけ５１を上方へ移動連動させ、前記推しロッド１７が上方へ移動する時、前記第三ギヤ３１は前記第三ラック３３の作用の下で回転し、それによって前記広げロッド３５を上方へ移動連動させ、この時に前記広げロッド３５が上方へ移動した距離は前記推しロッド１７が上方へ移動した距離の二倍であり、この時に前記広げロッド３５の上方の前記十字ブロック１９と前記第四スライドチャンバ２７の頂壁との間の距離が減少し、この時に前記十字ブロック１９が上方へ移動して前記コンロッド１５を推し動かして前記ヒンジロッド１６を押し、それによって前記雨よけ５１を広げ、休憩が終わった時に前記モーター３９を逆方向に回し、前記雨よけ５１と前記座席２１とが復帰し、この時に装置が再び装飾品に変える。
【００１９】
以上の詳しく分析からわかっているのは：本発明の家具装飾品は収納状態にある時に球状であり、装飾品として花園の中に置かれることができ、休憩の時、本発明は自動的にテーブルと椅子とのセットに変わることができ、使用者が休憩することに便利を与え、同時に雨よけが設置され、使用者に雨又は日を避けることができ、実用性が強い。
【００２０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020182785.tif 000003
【図２】
2020182785.tif 000004
【図３】
2020182785.tif 000005
【図４】
2020182785.tif 000006
【図５】
2020182785.tif 000007
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
正面視で、台座と前記台座と固定的に連結された支持柱とを含み、前記支持柱の頂壁にはテーブル面が固定的に取り付けられ、前記支持柱と前記台座との固定的に連結されたところには前後左右対称の第一スライドチャンバが設置され、四つの前記第一スライドチャンバの間には伝動チャンバが設置され、前記第一スライドチャンバの片側端壁には第一ラックが設置され、前記第一スライドチャンバの中には第一スライドブロックがスライドできるように設置され、前記第一スライドブロックの中には前記第一スライドブロックを貫通している第一ねじ穴が設置され、前記第一ねじ穴の中には第一ねじロッドがねじ山によって連結され、前記第一ねじロッドの末端が前記伝動チャンバの中に伸びており、また前記第一ねじロッドの末端には第一ベベルギヤが固定的に設置され、前記第一スライドブロックの中には第二スライドチャンバと前記第二スライドチャンバの底壁の中に設置されたギヤチャンバとが設置され、前記第二スライドチャンバの中には第二スライドブロックがスライドできるように設置され、前記第二スライドブロックのうち前記第二スライドチャンバから離れている片側端壁には座席が固定的に設置され、前記第二スライドブロックの中には上下に貫通している第二ねじ穴が設置され、前記第二ねじ穴の中には第二ねじロッドがねじ山によって連結され、前記第二ねじロッドの底部末端が前記ギヤチャンバの中に伸びており、前記ギヤチャンバの中の前記第二ねじロッドの末端には前記第一ラックと噛み合っている第一ギヤが固定的に設置され、前記第一スライドチャンバのうち前記伝動チャンバから離れている片側端壁の中には前記座席を支持できる支持装置が設置され、前記テーブル面の底壁の中には上方に開口した第三スライドチャンバが設置され、前記第三スライドチャンバの中には上方へ伸びている推しロッドがスライドできるように設置され、前記推しロッドの頂壁には雨よけが固定的に設置され、前記第三スライドチャンバの中には前記雨よけを持ち上げる持ち上げ装置が設置され、前記推しロッドの中には第四スライドチャンバが設置され、前記第四スライドチャンバの中には前記雨よけを広げ、
前記支持装置は前記台座の頂壁にある左右且つ前後対称の回転チャンバを含み、前記回転チャンバの底壁の中には支持チャンバが設置され、前記支持チャンバの中には第二ギヤが回転できるように設置され、前記第二ギヤの頂壁には回転ロッドが固定的に取り付けられ、前記支持チャンバと前記第一スライドチャンバとの間には第一スライド穴が連通するように設置され、前記第一スライド穴の中には前記第二ギヤと噛み合っている第二ラックがスライドできるように設置され、前記第二ラックをスライドさせて前記回転ロッドを回転連動させ、それによって前記座席を支持する作用を果たし、前記第二ラックと前記第一スライド穴の端壁との間には復帰装置が弾性を持つように設置され、
前記持ち上げ装置は前記第四スライドチャンバの底壁の中に設置された第三ねじ穴を含み、前記第三ねじ穴の中には第三ねじロッドがねじ山によって連結され、前記第三ねじロッドが回転して前記推しロッドを上方へ移動連動させ、それによって前記雨よけを持ち上げ、前記第三ねじロッドの底部末端が前記伝動チャンバの中に伸びており、また前記第三ねじロッドの底部末端が前記伝動チャンバの底壁の中に固定的に設置されたモーターと動力が伝達できるように連結され、前記伝動チャンバの中の前記第三ねじロッドの外表面には前記第一ベベルギヤと噛み合っている第二ベベルギヤが固定的に設置され、前記第四スライドチャンバの四つの側の端壁の中には前記第三スライドチャンバに連通している空きチャンバが設置され、前記空きチャンバの中には前記第三スライドチャンバの四つの側の端壁に固定的に設置された第三ラックと噛み合っている第三ギヤが回転できるように設置され、
前記広げ装置は前記第四スライドチャンバの左右前後端壁の中に対称的に設置された第五スライドチャンバを含み、前記第五スライドチャンバの中には十字ブロックがスライドできるように設置され、前記第四スライドチャンバの中には前記十字ブロックと固定的に連結された広げロッドがスライドできるように設置され、前記広げロッドの左右前後端壁の中には前記第三ギヤと噛み合っている第四ラックが固定的に設置され、前記広げロッドの底壁の中には下方に開口したスライド溝が設置され、前記雨よけと前記推しロッドとの間には中心対称の四組のヒンジロッドがヒンジで連結され、前記十字ブロックの四つの端にはコンロッドがヒンジで連結され、前記コンロッドのうち前記十字ブロックから離れている片側末端が前記ヒンジロッドの中間位置にヒンジで連結されたことを特徴とする家具装飾品。